(57)【要約】【課題】  録画再生装置から携帯型再生装置へ録画データの転送を行う際、予め転送開始時刻から転送終了時刻までの設定時間内に録画データの転送が終わらないと判定された場合に利用者に警告を報知できるようにする。【解決手段】  録画再生装置１と携帯型再生装置４を通信手段８にて接続し、転送開始時刻と転送終了時刻を設定し、予め録画時に携帯型再生装置４に転送するか否かを決めておいた蓄積手段２に蓄積された録画データの内、転送するもののデータ量と転送速度から転送にかかる時間を算出し、転送終了時刻までに転送が完了しないと判別できた場合は利用者に警告をする。転送が完了すると判別できた場合は、転送開始時刻に携帯型再生装置４へ録画データの転送を開始し、蓄積手段６に蓄積する。【選択図】      図１
2006270744.tif 000002
【特許請求の範囲】
【請求項１】
高画質録画形式と高圧縮率録画形式による映像データの録画再生手段と、前記映像データを蓄積する蓄積手段と、録画時若しくは録画予約設定時に前記高画質録画形式または高圧縮率録画形式の何れか一方を選択する録画形式選択手段と、前記録画形式選択手段により録画された映像データを前記携帯型再生装置に転送するデータ転送手段および通信手段と、録画時に映像データを映像データの再生手段を備える携帯型再生装置に転送するか否かを設定する転送フラグである転送判別手段を備えた録画再生装置であって、前記録画再生装置にて、転送開始時刻と転送終了時刻を設定し、映像データのデータ量及び単位時間当たりの転送レートから算出される予想転送時間と、前記転送開始時刻及び前記転送終了時刻より算出される予約転送時間を比較し、前記予想転送時間が前記予約転送時間を越える場合に報知する警告手段を備えたことを特徴とする予約転送機能を備えた録画再生装置。
【請求項２】
前記携帯型再生装置は、前記録画再生装置に関する設定情報を記憶するとともに、その変更を含む前記設定情報を前記録画再生装置の設定に反映することができるフィードバック手段を備えたことを特徴とする請求項１に記載の予約転送機能を備えた録画再生装置。
【発明の詳細な説明】
【技術分野】
【０００１】
本発明は、録画データを蓄積可能な録画再生装置から転送された録画データを携帯型再生装置に転送する機能を有する予約転送機能を備えた録画再生装置、特に録画データを転送する時間が予約可能な予約転送機能を備えた録画再生装置に関する。
【背景技術】
【０００２】
従来、例えば、ＨＤＤ（ハードディスクドライブ）等の録画したデータを蓄積可能な録画再生装置は、携帯型再生装置への録画データを転送する機能を有しているが、携帯型再生装置は、その利用形態から極力、小型化が要望され、このような観点から例えば、映像データを蓄積するための記憶容量が据置型のものと比較して少なく、また、表示画素数が据置型の表示装置よりも少ないなど、据置型のものよりも機能的に制限されているものが多い。
【０００３】
このように、携帯型再生装置は、記憶容量及び表示画素数が据置型と比較して制限されることから、例えば、特許文献１では、録画再生装置で録画を行う際に、録画再生装置で再生するための高画質形式と携帯型再生装置で再生するための高圧縮率形式の２種類の形式で同時に録画を行い、圧縮のための時間を削減することにより、携帯型再生装置にメモリーカードを介在させ高圧縮率形式の録画データを短時間で転送する方法を開示している。
【０００４】
また、特許文献２では、録画データを蓄積可能な録画再生装置によって録画した映像データを携帯型再生装置に転送する際、転送する録画データを高圧縮率形式によって圧縮し、転送を行い、事前に設定した転送完了時刻到達前に転送の完了を行う方法を開示している。こちらは、転送時に録画データを圧縮することにより、蓄積データの縮小を行うことができる。また、転送完了時刻を設定することにより、利用者が携帯型再生装置を持ち出せる時間を明確に指定することができる。
【０００５】
【特許文献１】特開２００４−２６０８３８号公報
【特許文献２】特開２００４−３１０８８５号公報
【発明の開示】
【発明が解決しようとする課題】
【０００６】
しかしながら、従来の録画再生システムでは、録画データの転送開始を自動的に行った際、転送対象の録画データが大きく、予定転送時間内に転送が終了しない場合があり、所望の録画データの転送を所望の時間までに完了しないなどの欠点があった。
【０００７】
本発明は上記課題を鑑みてなされたものであり、予め放送番組の録画設定時若しくは予約録画設定時に、該放送番組の録画データに対して携帯型再生装置に転送するか否かを設定しておき、更に予め転送開始時刻を設定することにより、所望の録画データを定められた時間に転送開始し、予め転送終了時刻を設定し、設定時間内に転送が終わらないと判定された場合に利用者に警告を促す機能を有する予約転送機能を備えた録画再生装置を提供することを目的とする。
【課題を解決するための手段】
【０００８】
請求項１に係る予約転送機能を備えた録画再生装置は、高画質録画形式と高圧縮率録画形式による映像データの録画再生手段と、前記映像データを蓄積する蓄積手段と、録画時若しくは録画予約設定時に前記高画質録画形式または高圧縮率録画形式の何れか一方を選択する録画形式選択手段と、前記録画形式選択手段により録画された映像データを前記携帯型再生装置に転送するデータ転送手段および通信手段と、録画時に映像データを映像データの再生手段を備える携帯型再生装置に転送するか否かを設定する転送フラグである転送判別手段を備えた録画再生装置であって、前記録画再生装置にて、転送開始時刻と転送終了時刻を設定し、映像データのデータ量及び単位時間当たりの転送レートから算出される予想転送時間と、前記転送開始時刻及び前記転送終了時刻より算出される予約転送時間を比較し、前記予想転送時間が前記予約転送時間を越える場合に報知する警告手段を備えたことを特徴とする。
【０００９】
請求項１の構成によれば、転送開始時刻及び転送終了時刻を設定することにより、転送フラグにより転送を指示された録画データの全てが時間内に録画データの転送が終了しないと判定される場合は、利用者に警告を出すことができる。転送終了時刻までに転送が終わるかどうかの判断は、録画データのデータ量と、録画再生装置及び携帯型再生装置の間で転送が行われる際の単位時間当たりの転送量を示す転送レートから予想転送時間を算出し、設定した転送開始時刻及び転送終了時刻から予約転送時間を算出し、予想転送時間と予約転送時間を比較することにより、録画データ転送が設定した転送終了時間に終了するかを判断し、終了しない場合は利用者に警告をすることにより、転送終了時間になっても転送が終わっていないという状況を防ぐことができる。
【００１０】
請求項２記載に係る予約転送機能を備えた録画再生装置は、請求項１に記載の予約転送機能を備えた録画再生装置において、前記携帯型再生装置は、前記録画再生装置に関する設定情報を記憶するとともに、その変更を含む前記設定情報を前記録画再生装置の設定に反映することができるフィードバック手段を備えたことを特徴とする。
【００１１】
請求項２の構成によれば、請求項１に係る予約転送機能を備えた録画再生装置は、携帯型再生装置によって録画再生装置の設定を変更し、その変更内容を録画データ転送の際にフィードバックさせ、録画再生装置の設定に反映させることができる。
【発明の効果】
【００１２】
請求項１に係る録画再生システムは、転送開始時刻及び転送終了時刻を設定し、転送開始時刻及び該転送終了時刻、転送フラグにより転送を指示された全ての録画データのデータ量、転送レートをもって予想転送時間と予約転送時間を算出し、予想転送時間が予約転送時間を越える場合、すなわち設定した転送終了時刻に録画データの転送が終わらないことが予想される場合に、利用者にそれを警告し、利用者に転送開始時刻及び転送終了時刻を再度設定させることで、未然に転送終了時刻になっても転送が終わっていないという事態を防ぎ、利用者が所望の時刻に携帯型再生装置を持ち運べる状態にすることが可能となる。
【００１３】
請求項２に係る録画再生システムは、携帯型再生装置にて録画再生装置の設定情報を編集し、それをフィードバックする手段を備えているので、例えば、携帯型再生装置にて視聴が完了した録画データに削除指示のデータを編集し、それを録画再生装置に通知することにより、録画再生装置を操作し、録画データを確認しなくても視聴済みデータを削除することができる。また、放送番組の予約情報を記録させ、それをフィードバックすることにより、録画再生装置を操作せずとも、放送番組の録画予約を行うことができる。
【発明を実施するための最良の形態】
【００１４】
以下、本発明を実施するための最良の形態としての実施例を図１から図３を参照して説明する。もちろん、本発明は、その発明の趣旨に反さない範囲で、実施例において説明した以外のものに対しても容易に適用可能なことは説明を要するまでもない。
【００１５】
図１〜図３は、本発明の一実施例を示し、図１は、実施例の構成を示すブロック図である。図２は、転送予約をした場合の構成全体の動作を示すフローチャート図である。図３は、携帯型再生装置にて変更された録画再生装置の設定情報を録画再生装置にフィードバックする際の動作を示すフローチャート図である。
【００１６】
本発明の実施例の構成を、図１を用いて説明する。１は例えばＨＤＤなどの録画再生装置であり、録画データなどを保存・蓄積する蓄積手段２と録画再生や予約などの制御を行う制御手段３を備える。４は携帯型再生装置であり、録画データを保存・蓄積する蓄積手段６と、録画データの再生や種々の設定などの制御を行う制御手段５と、再生した録画データを表示する表示手段７を有する。録画再生装置１と携帯型再生装置４は通信手段８にて、録画データなどの転送を行う。録画再生装置１は、搬送波や有線による映像信号を受信する図示しない受信手段と、録画データなどの映像信号を外部の表示装置である表示手段に送り出す図示しない信号出力手段を備えている。通信手段８は有線による接続や、無線通信による接続、または図示しない記憶媒体を別途介してもよい。
【００１７】
次に録画再生装置１に蓄積された録画データを携帯型再生装置４に転送する際の動作を、図２のフローチャート図を参照して説明する。録画再生装置１若しくは携帯型再生装置４によって転送開始時刻および転送終了時刻を設定する（Ｓ１）。録画再生装置１と携帯型再生装置４を通信手段８により接続する（Ｓ２）。Ｓ１にて設定した転送開始時刻及び転送終了時刻と、録画データの量・転送レートから転送終了時刻に転送が完了するかを算出し判別する（Ｓ３）。その結果転送終了時刻内に転送が終了すると判断された場合は、転送開始時刻まで待機する（Ｓ４，５）。転送開始時刻が訪れたら、録画時又は予約設定時に設定した転送フラグにより転送が指示された録画データの転送を開始する（Ｓ６）。ステップＳ３の判別で転送終了時刻内に転送が終了しないと判断された場合は、転送時間内に転送できない旨の文字、図案化された記号などの表示又は音声などの報知による警告を利用者に報知する（Ｓ８）。その後、設定した転送時間を越えて転送するか否かを利用者に選択させ（Ｓ９）、転送する場合はステップＳ４へ、転送しない場合はステップＳ１０へ移行する。転送しない場合、転送候補となった録画データの再設定を行うかどうかを利用者に選択させる（Ｓ１０）。再設定をしない場合は、そこで動作終了（Ｓ１１）となり、再設定をする場合は、転送開始時刻及び転送終了時刻の再設定を行い（Ｓ１２）、ステップＳ３へ動作を戻す。
【００１８】
次に、携帯型再生装置４で指定した設定情報を録画再生装置１にフィードバックさせる動作を説明する。図３はフィードバックの動作を示すフローチャート図である。携帯型再生装置４で録画再生装置１の設定を行う（Ｓ１３）。続いて、携帯型再生装置４と録画再生装置１を通信手段８にて通信可能な状態にする（Ｓ１４）。その後、携帯型再生装置４に記憶された録画再生装置１の設定情報を、録画再生装置１にフィードバックする（Ｓ１５）。この設定情報を既に録画再生装置１に記憶されているものと比較し（Ｓ１６）、変更があれば携帯型再生装置４の設定情報に書き換え（Ｓ１７）、変更がなければ録画再生装置１の設定情報を保持する（Ｓ１８）。
【００１９】
以上のように、本実施例においては、録画再生装置１から携帯型再生装置４へ録画データを転送する際、映像データの録画時または録画予約時に転送するか否かの転送フラグを設定し、録画データを転送する所望の転送開始時刻及び転送終了時刻を設定し、録画再生装置１と携帯型再生装置４を接続した際に、転送開始時刻及び転送終了時刻、転送対象の録画データ量、転送レートから転送終了時刻までに転送が終了するかを判別し、転送が終了しないと判定される場合は、利用者に警告を促すことができ、転送が終了すると判定される場合は、転送開始時刻まで待機状態となる。転送終了時刻までに転送が完了しない場合、利用者に警告を促すことで、転送開始時刻や転送終了時刻の再設定や、転送対象の再設定を行い、転送終了時刻までに録画データの転送が終わらないという事態を未然に防ぐことができる。
【００２０】
また、携帯型再生装置４で録画再生装置１の設定を行うことで、例えば、外出時に録画したい番組の情報を得た場合、携帯型再生装置４で予約を行い、その情報を録画再生装置１にフィードバックさせることにより、帰宅後、録画再生装置１で予約する必要がない。さらに、携帯型再生装置４で視聴した録画データに対して既に視聴したことを示すマークをつけ、録画再生装置１と接続した際に、録画再生装置１内に蓄積された携帯型再生装置４で既に視聴している録画データの削除を自動的に行うことができる。
【図面の簡単な説明】
【００２１】
【図１】本発明の一実施例の構成を示すブロック図である。
【図２】同上、録画データ転送の際の動作を示すフローチャート図である。
【図３】同上、携帯型再生装置から録画再生装置への情報のフィードバック動作を示すフローチャート図である。
【符号の説明】
【００２２】
１  録画再生装置
２  蓄積手段
３  録画再生制御手段
４  携帯型再生装置
５  再生制御手段
６  蓄積手段
７  表示手段
８  通信手段
９  外部表示装置
【図１】
2006270744.tif 000003
【図２】
2006270744.tif 000004
【図３】
2006270744.tif 000005